(57)【特許請求の範囲】
【請求項１】
人体のアームの腕関節に近接する腕部に嵌めて使用される腕部内外側ツボ用共振按摩器において、
中空な構造に成形され、互いに係合してリング状を形成する二つの自由端を有し、その内部には、二つの前記自由端の間に空間が成形され、その外部には、互いに対向し二つの前記自由端と連接する、内周面と、外周面と、が設けられ、前記内周面により嵌め口が構成され、前記嵌め口には、互いに対向する二つの凸部が設けられ、二つの前記凸部が前記腕関節から４〜８ｃｍに離れて前記腕部の内側と外側とにそれぞれ当接するように、前記腕部に前記嵌め口を嵌める固定具と、
回路板と、前記回路板に設けられる周波発生ユニットと、をそれぞれ有し、前記固定具の前記凸部に応じて前記固定具の前記空間内に設けられる二つの周波発生器と、
前記固定具に設けられ、二つの前記周波発生器の前記回路板と電気的に接続する電池ユニットと、
前記固定具に設けられ、前記電池ユニットと電気的に接続し、各前記周波発生器を制御して、前記固定具の前記凸部に６０〜７．９ｘ１０１４Ｈｚの周波を出力して、前記凸部により前記腕部の内部を共振按摩する制御ユニットと、
を含むことを特徴とする腕部内外側ツボ用共振按摩器。
【請求項２】
前記固定具は、撓み可能な中空リング状の構成を有し、二つの前記自由端は、係止部と、嵌止部とに、それぞれ成形され、前記嵌止部には、端部から収容空間が成形され、前記収容空間の前記内周面に近接する壁面に歯面が成形され、前記外周面には、前記嵌止部の前記収容空間に連通するねじ穴が設けられ、前記係止部は、前記収容空間に収容され、前記歯面に応じて複数の係り歯が成形され、ボルトは、前記ねじ穴にねじ込まれて、その端部が前記係止部に押し付けることを特徴とする、請求項１に記載の腕部内外側ツボ用共振按摩器。
【請求項３】
前記固定具の中段には、二つの収容部と、二つの前記収容部を連接する連接部と、が設けられ、各前記収容部は、中空なケースに成形され、対向する両側を有し、一側が前記連接部と連接し、他側が前記固定具の自由端に成形され、二つの前記自由端が二つのベルクロに成形され、前記連接部は、ホースに成形され、二つの前記収容部の内部と連通し、前記連接部と二つの前記収容部とから、前記固定具の内部にある空間が構成され、二つの前記自由端を互いに係合させ、前記固定具をリング状に成形し、二つの前記収容部と前記連接部と二つの前記ベルクロとから、前記内周面と前記外周面とが構成され、各前記凸部は、前記収容部に対応し、前記内周面に成形され、各前記収容部の内部に前記周波発生器が設けられ、前記電池ユニットは前記収容部のうちの一つの内部に設けられ、前記制御ユニットは前記収容部の残りの内部に設けられ、二つの前記周波発生器と前記電池ユニットと前記制御ユニットとは、前記連接部を介して電気的に接続することを特徴とする、請求項１に記載の腕部内外側ツボ用共振按摩器。
【請求項４】
前記固定具の外周面には、前記電池ユニットを収容する窪みが設けられ、前記窪みの開口に蓋が設けられることを特徴とする、請求項１に記載の腕部内外側ツボ用共振按摩器。
【請求項５】
前記固定具の前記凸部は按摩ブロックに成形され、前記周波発生器の前記周波発生ユニットは振動モータであり、前記振動モータの前記凸部に出力する周波の周波数は３．６Ｘ１０３〜４０Ｘ１０３Ｈｚであることを特徴とする、請求項１に記載の腕部内外側ツボ用共振按摩器。
【請求項６】
前記固定具の前記凸部は按摩ブロックに成形され、前記周波発生器の前記周波発生ユニットは水晶発振器であり、前記水晶発振器の前記凸部に出力する周波の周波数は３．６Ｘ１０３〜４０Ｘ１０３Ｈｚであることを特徴とする、請求項１に記載の腕部内外側ツボ用共振按摩器。
【請求項７】
前記固定具の前記凸部は中空なケースに成形され、前記周波発生器の前記周波発生ユニットは電磁波発射装置であり、前記電磁波発射装置の前記凸部に出力する周波の波長は３８０〜２．５Ｘ１０４ｎｍであることを特徴とする、請求項１に記載の腕部内外側ツボ用共振按摩器。
【請求項８】
前記制御ユニットは、前記電池ユニットと電気的に接続する制御回路と、前記固定具の外周面に嵌め設けられ、前記制御回路と電気的に接続するディスプレイと、を有し、前記ディスプレイの一側には、オン・オフボタンと、リセットボタンと、モード選択ボタンと、が設けられ、これらの前記ボタンは前記制御回路と電気的に接続することを特徴とする、請求項１に記載の腕部内外側ツボ用共振按摩器。
【発明の詳細な説明】
【技術分野】
【０００１】
本発明は、電動按摩器に関し、特に、人体の腕部の内外側に配される二つの周波発生器により、共振按摩を行う電動按摩器に関するものである。
【背景技術】
【０００２】
現在、国民の生活形態が変化したため、心臓血管の病気、消化系統の病気及び睡眠障害の発生確率が大幅に増加する。このため、これらの病気に対する予防が国民に重視されている。漢医学の領域において、ツボを刺激することにより、病気を予防でき、病気を改善でき、そしてストレスを緩和できる効果があることは、多数の文献に実証されている。このように、非侵入的なツボ按摩は、よく見られる施療方法となる。
【０００３】
特に、漢医学の研究により、図１Ａに示すように、人体の腕部Ａの腕関節から４〜８ｃｍに離れる箇所の内側に内関ツボＡ１があり、内関ツボＡ１をよく按摩することにより、心臓血管の病気及び消化系統の病気を予防でき、図１Ｂに示すように、人体の腕部Ａの腕関節から４〜８ｃｍに離れる箇所の外側に外関ツボＡ２があり、外関ツボＡ２が内関ツボＡ１の反対側に位置し、外関ツボＡ２をよく按摩することにより、体液の循環を促進できる。内関ツボＡ１と外関ツボＡ２とを同時に按摩することにより、施療効果が更に増加する。
【０００４】
しかし、指又は手動按摩器により按摩を行うときには、力を制御してより深層に按摩できるが、ツボを長時間に刺激することが困難であるため、振動式電動按摩器、又は遠赤外線を放射できる金属リングが開発されて市販している。
【０００５】
振動式電動按摩器によれば、人体に対して一点だけに振動按摩でき、内関ツボＡ１と外関ツボＡ２とを同時に按摩することができず、そしてその一方向な振動周波の強度は、人体の表面と接触すると降下し、人体に進入した後、深く行くほど更に降下するため、ツボを刺激する効果が不足である。遠赤外線を放射できる金属リングによれば、金属リングから放射されるエネルギーが弱いため、内関ツボＡ１と外関ツボＡ２とを持続で同時に按摩できず、そして放射される遠赤外線の強度は人体の表面と接触すると降下するという問題があった。
【先行技術文献】
【特許文献】
【０００６】
【特許文献１】なし
【発明の概要】
【発明が解決しようとする課題】
【０００７】
そこで、本発明の主な目的は、人体の腕関節から４〜８ｃｍに離れる箇所の内外側に配される二つの周波発生器により、共振按摩を行うことができ、共振の周波が皮膚の奥まで進入してツボを刺激でき、最高な按摩効果を達成できる腕部内外側ツボ用共振按摩器とその共振按摩方法を提供することにある。
【課題を解決するための手段】
【０００８】
本発明の腕部内外側ツボ用共振按摩器によると、人体のアームの腕関節に近接する腕部に嵌めて使用される腕部内外側ツボ用共振按摩器において、中空な構造に成形され、互いに係合してリング状を形成する二つの自由端を有し、その内部には、二つの自由端の間に空間が成形され、その外部には、互いに対向し二つの自由端と連接する、内周面と、外周面と、が設けられ、内周面により嵌め口が構成され、嵌め口には、互いに対向する二つの凸部が設けられ、二つの凸部が腕関節から４〜８ｃｍに離れて腕部の内側と外側とにそれぞれ当接するように、腕部に嵌め口を嵌める固定具と、回路板と、回路板に設けられる周波発生ユニットと、をそれぞれ有し、固定具の凸部に応じて固定具の空間内に設けられる二つの周波発生器と、  固定具に設けられ、二つの周波発生器の回路板と電気的に接続する電池ユニットと、固定具に設けられ、電池ユニットと電気的に接続し、各周波発生器を制御して、固定具の凸部に６０〜７．９ｘ１０１４Ｈｚの周波を出力して、凸部により腕部の内部を共振按摩する制御ユニットと、を含むことを特徴とする。
【０００９】
本発明の腕部内外側ツボ用共振按摩器によると、固定具は、撓み可能な中空リング状の構成を有し、二つの自由端は、係止部と、嵌止部とに、それぞれ成形され、嵌止部には、端部から収容空間が成形され、収容空間の内周面に近接する壁面に歯面が成形され、外周面には、嵌止部の収容空間に連通するねじ穴が設けられ、係止部は、収容空間に収容され、歯面に応じて複数の係り歯が成形され、ボルトは、ねじ穴にねじ込まれて、その端部が係止部に押し付けることを特徴とする。
【００１０】
本発明の腕部内外側ツボ用共振按摩器によると、固定具の中段には、二つの収容部と、二つの収容部を連接する連接部と、が設けられ、各収容部は、中空なケースに成形され、対向する両側を有し、一側が連接部と連接し、他側が固定具の自由端に成形され、二つの自由端が二つのベルクロに成形され、連接部は、ホースに成形され、二つの収容部の内部と連通し、連接部と二つの収容部とから、固定具の内部にある空間が構成され、二つの自由端を互いに係合させ、固定具をリング状に成形し、二つの収容部と連接部と二つのベルクロとから、内周面と外周面とが構成され、各凸部は、収容部に対応し、内周面に成形され、各収容部の内部に周波発生器が設けられ、電池ユニットは収容部のうちの一つの内部に設けられ、制御ユニットは収容部の残りの内部に設けられ、二つの周波発生器と電池ユニットと制御ユニットとは、連接部を介して電気的に接続することを特徴とする。
【００１１】
本発明の腕部内外側ツボ用共振按摩器によると、固定具の外周面には、電池ユニットを収容する窪みが設けられ、窪みの開口に蓋が設けられることを特徴とする。
【００１２】
本発明の腕部内外側ツボ用共振按摩器によると、固定具の凸部は按摩ブロックに成形され、周波発生器の周波発生ユニットは振動モータであり、振動モータの凸部に出力する周波の周波数は３．６Ｘ１０３〜４０Ｘ１０３Ｈｚであることを特徴とする。
【００１３】
本発明の腕部内外側ツボ用共振按摩器によると、固定具の凸部は按摩ブロックに成形され、周波発生器の周波発生ユニットは水晶発振器であり、水晶発振器の凸部に出力する周波の周波数は３．６Ｘ１０３〜４０Ｘ１０３Ｈｚであることを特徴とする。
【００１４】
本発明の腕部内外側ツボ用共振按摩器によると、固定具の凸部は中空なケースに成形され、周波発生器の周波発生ユニットは電磁波発射装置であり、電磁波発射装置の凸部に出力する周波の波長は３８０〜２．５Ｘ１０４ｎｍであることを特徴とする。
【００１５】
本発明の腕部内外側ツボ用共振按摩器によると、制御ユニットは、電池ユニットと電気的に接続する制御回路と、固定具の外周面に嵌め設けられ、制御回路と電気的に接続するディスプレイと、を有し、ディスプレイの一側には、オン・オフボタンと、リセットボタンと、モード選択ボタンと、が設けられ、これらのボタンは制御回路と電気的に接続することを特徴とする。
【発明の効果】
【００１６】
本発明の腕部内外側ツボ用共振按摩器とその共振按摩方法によれば、人体の腕関節から４〜８ｃｍに離れる箇所の内外側に配される二つの周波発生器により、共振按摩を行うことができ、共振の周波が皮膚の奥まで進入してツボを刺激でき、最高な按摩効果を達成できるという効果を有する。
【図面の簡単な説明】
【００１７】
【図１Ａ】人体の腕部の内関ツボの位置を示す模式図である。
【図１Ｂ】人体の腕部の外関ツボの位置を示す模式図である。
【図２】本発明の一実施例の構造を示す斜視図である。
【図３】本発明の一実施例の構造を示す断面図である。
【図４】本発明の一実施例の構築を示す模式図である。
【図５】本発明の一実施例の使用状態を示す模式図である。
【図６】本発明は振動モータを周波発生器とする構造を示す模式図である。
【図７】本発明は水晶発振器を周波発生器とする構造を示す模式図である。
【図８】本発明は電磁波発射装置を周波発生器とする構造を示す模式図である。
【図９】本発明の別の実施例の構造を示す斜視図である。
【図１０】本発明の別の実施例の構造を示す断面図であって、使用状態を示す。
【図１１】本発明の一実施例の共振按摩方法を示すフローチャートである。
【図１２】本発明の共振按摩器により第１被験者のリンパ循環を促進する前に、測定された予防医学コンピュータ分析図表である。
【図１３】本発明の共振按摩器により第１被験者のリンパ循環を２０分間に促進した後、測定された予防医学コンピュータ分析図表である。
【図１４】本発明の共振按摩器により第１被験者のリンパ循環を６０分間に促進した後、測定された予防医学コンピュータ分析図表である。
【図１５】本発明の共振按摩器により第２被験者のリンパ循環を促進する前に、測定された予防医学コンピュータ分析図表である。
【図１６】本発明の共振按摩器により第２被験者のリンパ循環を４０分間に促進した後、測定された予防医学コンピュータ分析図表である。
【発明を実施するための形態】
【００１８】
以下、本発明の実施の形態を図面に基づいて説明する。
【００１９】
図２、図３及び図５を参照する。本発明の一実施例の腕部内外側ツボ用共振按摩器は、人体のアームの腕関節に近接する腕部Ａに嵌めて使用され、固定具１０と、二つの周波発生器２０と、電池ユニット３０と、制御ユニット４０と、を含む。
【００２０】
固定具１０は、図２及び図３に示すように、中空な構造に成形され、互いに係合してリング状を形成する二つの自由端を有し、その内部には、二つの自由端の間に空間１１が成形され、その外部には、互いに対向し二つの自由端と連接する、内周面１０１と、外周面１０２と、が設けられる。内周面１０１により嵌め口１０３が構成される。嵌め口１０３には、互いに対向する二つの凸部１２が設けられる。図３及び図５に示すように、二つの凸部１２が腕関節から４〜８ｃｍに離れて腕部Ａの内側と外側とにそれぞれ当接するように、腕部Ａに固定具１０の嵌め口１０３を嵌める。
【００２１】
本実施例では、固定具１０は、撓み可能な中空リング状の構成を有し、二つの自由端は、係止部１３と、嵌止部１４とに、それぞれ成形される。嵌止部１４には、端部から収容空間１４１が成形される。収容空間１４１の内周面１０１に近接する壁面に歯面１４２が成形される。外周面１０２には、嵌止部１４の収容空間１４１に連通するねじ穴１４３が設けられる。係止部１３は、収容空間１４１に収容され、歯面１４２に応じて複数の係り歯１３１が成形される。ボルト１４４は、ねじ穴１４３にねじ込まれて、その端部が係止部１３に押し付ける。固定具１０は、係止部１３の嵌止部１４に収容される長さを変更することにより、嵌め口１０３の大きさを変更できる。このように、異なる寸法を有する腕部Ａを嵌めることができる。そしてボルト１４４によって、係止部１３と収容部１５とを緊迫して固定することにより、人体の皮膚に固定具１０の凸部１２を押付けることができる。このように、人体の内部に周波を確実に伝導できる。
【００２２】
二つの周波発生器２０は、図２及び図３に示すように、回路板２１と、回路板２１に設けられる周波発生ユニット２２と、をそれぞれ有し、固定具１０の凸部１２に応じて固定具１０の空間１１内に設けられる。本実施例では、周波発生器２０の固定具１０の凸部１２に出力する周波の周波数が６０〜７．９ｘ１０１４Ｈｚである。反対方向に伝導される二つの周波は、人体の腕部Ａの内部に共振効果を発生して、腕部Ａの内外側にある内関ツボＡ１と外関ツボＡ２とを共振按摩できる。
【００２３】
図３及び図４に示すように、固定具１０の外周面１０２には、電池ユニット３０を収容する窪み１８が設けられ、窪み１８の開口に蓋１８１が設けられる。電池ユニット３０は、二つの周波発生器２０の回路板２１と電気的に接続する。制御ユニット４０は、電池ユニット３０と電気的に接続し、各周波発生器２０を制御して、固定具１０の凸部１２に周波を出力して、凸部１２により人体の腕部Ａの内部を共振按摩する。本実施例では、制御ユニット４０は、電池ユニット３０と電気的に接続する制御回路４１と、固定具１０の外周面１０２に嵌め設けられ、制御回路４１と電気的に接続するディスプレイ４５と、を有する。ディスプレイ４５の一側には、オン・オフボタン４２と、リセットボタン４３と、モード選択ボタン４４と、が設けられ、これらのボタンは制御回路４１と電気的に接続する。
【００２４】
本発明の周波発生器２０の周波発生ユニット２２から出力する周波は、振動波、音波、超音波、電磁波、遠赤外線、又は光波などを採用する。振動波を採用する場合には、周波数が３．６Ｘ１０３〜４０Ｘ１０３Ｈｚであることが好ましい。音波を採用する場合には、周波数が２０〜２０Ｘ１０３Ｈｚであることが好ましい。超音波を採用する場合には、周波数が２０Ｘ１０３〜２０Ｘ１０６Ｈｚであることが好ましい。電磁波を採用する場合には、周波数が２０〜２０Ｘ１０３Ｈｚであることが好ましい。光波を採用する場合には、波長が３８０〜７８０ｎｍであることが好ましい。遠赤外線を採用する場合には、波長が３Ｘ１０３〜２．５Ｘ１０４ｎｍであることが好ましい。
【００２５】
周波発生ユニット２２は振動モータでもよい。図６に示すように、固定具１０の凸部１２は中実な按摩ブロックに成形される。周波発生ユニット２２は、凸部１２に対応するケース２２１を有し、その内部に動力源２２２が設けられる。動力源２２２の伝動軸２２３により、伝動軸２２３の末端に設けられる偏心ブロック２２４が回転され、これにより、振動波を得ることができる。図７に示すように、周波発生ユニット２２は水晶発振器でもよい。水晶発振器は、本体２２５を有し、本体２２５の複数の端子２２６が回路板２１に挿入される。本体２２５に電流を流すと、機械的な振動波を得ることができる。
【００２６】
図８に示すように、固定具１０の凸部１２は中空なケースに成形され、周波発生ユニット２２は、電磁波発射装置であり、遠赤外線発射ユニット２２７を有する。遠赤外線発射ユニット２２７は、凸部１２の内部に収容され、凸部１２へ遠赤外線を発射できる。このように、遠赤外線により腕部Ａのツボを刺激できる。
【００２７】
図４、図９及び図１０に示したのは、本発明の別の実施例の腕部内外側ツボ用共振按摩器である。このような腕部内外側ツボ用共振按摩器は、固定具１０の中段には、二つの収容部１５と、二つの収容部１５を連接する連接部１６と、が設けられる。各収容部１５は、中空なケースに成形され、対向する両側を有し、一側が連接部１６と連接し、他側が固定具１０の自由端に成形される。二つの自由端は二つのベルクロ１７に成形される。連接部１６は、ホースに成形され、二つの収容部１５の内部と連通する。連接部１６と二つの収容部１５とから、固定具１０の内部にある空間１１が構成される。二つの自由端を互いに係合させると、固定具１０がリング状となる。二つの収容部１５と連接部１６と二つのベルクロ１７とから、内周面１０１と外周面１０２とが構成される。各凸部１２は、収容部１５に対応し、内周面１０１に成形される。各収容部１５の内部に周波発生器２０が設けられる。電池ユニット３０は収容部１５のうちの一つの内部に設けられる。制御ユニット４０は収容部１５の残りの内部に設けられる。二つの周波発生器２０と電池ユニット３０と制御ユニット４０とは、連接部１６を介して電気的に接続する。
【００２８】
次に、本発明の好適な実施例の操作方式及び効果を説明する。図３、図５、図７及び図１１を参照する。腕部Ａの腕関節から４〜８ｃｍに離れる箇所の内側に内関ツボＡ１があり、腕部の腕関節から４〜８ｃｍに離れる箇所の外側に外関ツボＡ２がある。本発明の腕部内外側ツボ用共振按摩器の共振按摩方法は、按摩器を嵌めるステップＳ１と、周波を出力するステップＳ２と、周波により共振按摩を行うステップＳ３と、を含む。
【００２９】
按摩器を嵌めるステップＳ１は、按摩器を用意して、按摩器の内周面１０１にある二つの凸部１２を内関ツボＡ１と外関ツボＡ２とにそれぞれ押付けるように、人体のアームに按摩器の嵌め口１０３を嵌める。
【００３０】
周波を出力するステップＳ２は、按摩器の制御ユニット４０の制御により、各周波発生器２０の周波発生ユニット２２は、それに対応する凸部１２に、周波数が２０〜２０ｘ１０６Ｈｚの周波、又は波長が３８０〜２．５Ｘ１０４ｎｍの周波を出力して、二つの周波が凸部１２を経由して内関ツボＡ１と外関ツボＡ２とに伝導される。
【００３１】
周波により共振按摩を行うステップＳ３は、周波のうちの一つを第１周波とし、第１周波が外関ツボＡ２から内関ツボＡ１に伝導され、周波の残りを第２周波とし、第２周波が内関ツボＡ１から外関ツボＡ２に伝導され、これにより、内関ツボＡ１と外関ツボＡ２とには、第１周波と第２周波とが同時に存在し、二つの周波が共振して第３周波を形成し、第３周波の周波数は、第１周波と第２周波との周波数よりも高い。
【００３２】
本実施例では、第１周波と第２周波とが同じ周波数で、内関ツボＡ１と外関ツボＡ２とに共振按摩を行い、そして共振周波数は１Ｘ１０４±３．５Ｘ１０３範囲であることが好ましい。また、第１周波と第２周波とは、異なる周波数、又は非倍数形態の周波数で共振按摩を行うこともできる。
【００３３】
次に、本発明の図１２乃至図１５（又は図表と呼ぶ）を参照する。これは、二人の被験者に対して生物インピーダンス値を測定する。各図表の上半部に示した数値は、人体の特定の器官に対して、被験者の左半身体と右半身体とからそれぞれ測定された生物インピーダンス値である。各図表の下半部の曲線図は、前記生物インピーダンス値から計算して得られる個人的なインピーダンス平均値である。特定の器官から得られる生物インピーダンス値により、前記曲線図を得ることができる。前記曲線図により、被験者の特定の器官の生物インピーダンス値とインピーダンス平均値のずれ程度を判断でき、曲線の起伏が小さいことが好ましい。
【００３４】
＜第１被験者＞
図１２に示すように、本発明の按摩器を使用する前に、第１被験者から測定されたインピーダンス平均値が１０３であり、曲線図において、脾臓、膀胱及び胆嚢での起伏が大きく、インピーダンス平均値からのずれは３０も超える。本発明の腕部内外側ツボ用共振按摩器により、共振按摩を２０分間に行った後、図１３に示すように、上記器官の生物インピーダンス値とインピーダンス平均値のずれは２０を超えない。また、本発明の腕部内外側ツボ用共振按摩器により、共振按摩を６０分間に行った後、図１４に示すように、曲線の起伏が緩やかとなる。
【００３５】
＜第２被験者＞
図１５に示すように、本発明の按摩器を使用する前に、第２被験者から測定されたインピーダンス平均値が７７であり、曲線図において、小腸、肝臓、腎臓及び胆嚢での起伏が大きく、インピーダンス平均値からのずれは３０も超える。本発明の腕部内外側ツボ用共振按摩器により、共振按摩を４０分間に行った後、図１６に示すように、上記器官の生物インピーダンス値とインピーダンス平均値のずれは２０を超えない。すなわち、本発明の腕部内外側ツボ用共振按摩器により、共振按摩を行う前後の曲線の起伏の変化が著しいが、共振按摩を行った後に、曲線の起伏が緩やかとなる。
【００３６】
上記の説明から明らかなように、本発明の按摩器は、腕部Ａの内外側にあるツボに周波を入力して、人体の内部に共振効果を発生することにより、だるくて痛い症状などを迅速に緩和でき、血行を促進でき、人体の内部にある不純物を排出できるため、一側から周波を人体に入力するものに比べて、按摩効果を著しく増加できる。
【産業上の利用可能性】
【００３７】
本発明は、按摩器に適用することができる。
【符号の説明】
【００３８】
１０：固定具
１１：空間
１２：凸部
１３：係止部
１４：嵌止部
１５：収容部
１６：連接部
１７：ベルクロ
１８：収容空間
２０：周波発生器
２１：回路板
２２：周波発生ユニット
３０：電池ユニット
４０：制御ユニット
４１：制御回路
４２：オン・オフボタン
４３：リセットボタン
４４：モード選択ボタン
４５：ディスプレイ
１０１：内周面
１０２：外周面
１０３：嵌め口
１３１：係り歯
１４１：収容空間
１４２：歯面
１４３：ねじ穴
１４４：ボルト
１８１：蓋
２２１：ケース
２２２：動力源
２２３：伝動軸
２２４：偏心ブロック
２２５：本体
２２６：端子
２２７：遠赤外線発射ユニット
Ａ：腕部
Ａ１：内関ツボ
Ａ２：外関ツボ
Ｓ１：按摩器嵌めステップ
Ｓ２：周波出力ステップ
Ｓ３：周波共振按摩ステップ
【図１Ａ】
0005444417.tif 000002
【図１Ｂ】
0005444417.tif 000003
【図２】
0005444417.tif 000004
【図３】
0005444417.tif 000005
【図４】
0005444417.tif 000006
【図５】
0005444417.tif 000007
【図６】
0005444417.tif 000008
【図７】
0005444417.tif 000009
【図８】
0005444417.tif 000010
【図９】
0005444417.tif 000011
【図１０】
0005444417.tif 000012
【図１１】
0005444417.tif 000013
【図１２】
0005444417.tif 000014
【図１３】
0005444417.tif 000015
【図１４】
0005444417.tif 000016
【図１５】
0005444417.tif 000017
【図１６】
0005444417.tif 000018